(57)【要約】  調整アッセンブリは、移動可能にベース（１２０）に連結されたプラットフォーム（１１０）と、プラットフォーム（１１０）の位置を横方向でベース（１２０）に対して調整する偏向部材（１３２，１３４）を含む調整機構と、を備えている。調整アッセンブリは、プラットフォーム（１１０）が、第２軸に沿った方向で動くよう推進される偏向部材（１３２，１３４）に応じて第１軸に沿った方向で横方向に動くように推進されることができるよう構成されている。第２軸は、第１軸に概して平行ではない。
2015500145.tif 000002
【特許請求の範囲】
【請求項１】
調整アッセンブリであって、
移動可能にベースに連結されたプラットフォームと、
プラットフォームの位置を横方向でベースに対して調整する偏向部材を含む調整機構と、を備え、
前記調整アッセンブリは、プラットフォームが、第２軸に沿った方向で動くよう推進される偏向部材に応じて第１軸に沿った方向で横方向に動くように推進されることができるよう構成されており、
第２軸は、第１軸に概して平行ではない、調整アッセンブリ。
【請求項２】
第１軸と第２軸とが直交している、請求項１に記載の調整アッセンブリ。
【請求項３】
偏向部材の各々は、先細状のくさび形部分を備え、
プラットフォームおよびベースは、それらの間に各くさび形部分を収容するよう協働的に構成されており、これによって、第２軸に沿った方向における、１つの偏向部材の移動が、プラットフォームが第１軸に沿ってベースに対して移動するように推進し、かつ、第２軸に沿った同一方向における、その他の偏向部材の同時の移動が、当該方向におけるベースの移動を可能にする、請求項１または２に記載の調整アッセンブリ。
【請求項４】
一対の横方向調整部材を備え、
一対の横方向調整部材は、第２軸に沿って動かされる横方向調整部材に応じて、第２軸に沿ってベースに対してプラットフォームを移動させることができるよう構成さている、請求項１乃至３のいずれか一項に記載の調整アッセンブリ。
【請求項５】
横方向調整部材は、偏向部材の移動に応じて第１軸に沿ってプラットフォームが動かされるときに、プラットフォームのためのガイド機構として機能するよう構成されている、請求項４に記載の調整アッセンブリ。
【請求項６】
偏向部材は、横方向調整部材の移動に応じて第２軸に沿ってプラットフォームが動かされるときに、プラットフォームのためのガイド機構として機能するよう構成されている、請求項４または５に記載の調整アッセンブリ。
【請求項７】
プラットフォームは、対向する接触面からなる第１の対を備え、
第１の対の接触面の各々は、各偏向部材に隣接しており、
プラットフォームは、対向する接触面からなる第２の対を備え、
第２の対の接触面の各々は、各横方向調整部材に隣接しており、
接触面の第１の対および接触面の第２の対は、互いに直交している、請求項４乃至６のいずれか一項に記載の調整アッセンブリ。
【請求項８】
プラットフォームは、一対のプラットフォーム接触面を備え、
一対のプラットフォーム接触面の各々は、各偏向部材に隣接しており、
ベースは、一対のベース接触面を備え、
各偏向部材は、プラットフォーム接触面とベース接触面との間に収容されており、
プラットフォーム接触面およびベース接触面は、偏向部材が、第１の軸および第２の軸によって画定される横方向面に対して傾斜するよう、構成されている、請求項１乃至７のいずれか一項に記載の調整アッセンブリ。
【請求項９】
偏向部材は、少なくとも５０°かつ最大で６５°の角度で、横方向面に対して傾斜している、請求項８に記載の調整アッセンブリ。
【請求項１０】
プレス装置のための負荷アッセンブリであって、
請求項１乃至９のいずれか一項に記載の調整アッセンブリを備え、
ベースは、油圧シリンダーのラムと、プラットフォームに連結されたアンビル部材と、を備える、負荷アッセンブリ。
【請求項１１】
アンビル部材は、プラットフォームに対する、回転方向におけるアンビル部材の移動を可能にするよう構成された調整アッセンブリによって、プラットフォームに対して移動可能に連結されている、請求項１０に記載の負荷アッセンブリ。
【請求項１２】
超高圧を生成するためのプレス装置であって、
請求項１０または１１に記載の負荷アッセンブリを少なくとも２つ備え、
負荷アッセンブリの各々は、プレスフレームに取り付けられており、かつ、反応体積部に加えられる負荷を協働的に生成することができるよう構成されている、プレス装置。
【請求項１３】
負荷アッセンブリをプレスシステムに適合させる方法であって、
負荷アッセンブリは、アンビルアッセンブリと、油圧システムと、ボルスターブロックと、を備え、
ボルスターブロックは、使用中に組み立てられる際、アンビルアッセンブリと油圧システムとの間に配置されており、
前記方法は、
油圧システムを一端側で連結し、アンビルアッセンブリを他端側で連結するよう構成された調整機構を準備する工程と、
ボルスターブロックと調整機構とを取り替える工程と、を備える、方法。
【発明の詳細な説明】
【技術分野】
【０００１】
本開示は概して、調整アッセンブリ、調整アッセンブリを備える負荷生成アッセンブリ、負荷アッセンブリを備えるプレスシステム、および負荷アッセンブリを含むように負荷アッセンブリを適合する方法に関する。本開示は、排他的ではないが特に、超高圧を生成するためのプレスシステムにおける使用のための調整アッセンブリに関する。
【背景技術】
【０００２】
反応容器の内部で少なくとも約３ＧＰａの超高圧および少なくとも摂氏約１０００°の温度を生成することができるプレスシステムが、ダイヤモンドおよび立方晶窒化ホウ素（ｃＢＮ）材料を製造するために用いられ得る。反応容器は、ダイヤモンドまたはｃＢＮ材料のための原料を含んでいてもよい。プレスシステムは、反応容器を所定の圧力にさらすため、加えられた力によって異なる方向から反応容器に対して動かされ得る少なくとも２つのアンビルを備えていてもよい。反応容器は、アンビルおよび反応容器それ自体を通り得る電流によって加熱されてもよい。
【０００３】
ベルトタイプのプレスシステムにおいて、２つの対向するアンビルが、それらの間に配置されるとともに環状の封じ込め手段（“ベルト”）によって横方向に封じ込められた反応体積部に対して、動かされる。プレスシステムのその他の例は、四面体および立方体のプレスを含んでおり、それらは、４つおよび６つのアンビルをそれぞれ備えている。各アンビルの移動は、アンビルを大きな力で駆動することが可能な各油圧機構によって制御されてもよい。油圧機構は、油圧シリンダー、ピストンおよびラムを備えていてもよい。各アンビルは、アンビル保持具上に取り付けられていてもよく、アンビル保持具は、アンビル保持具とラムとの間に配置されるボルスターブロックに向かって配置されてもよい。油圧シリンダーは、ラムをボルスターブロックに対して長手方向前方に動かし、その後にアンビルを前方に動かすよう、作動され得る。油圧シリンダーは、アンビルが、負荷アッセンブリによって画定される長手方向軸に沿ってプレスフレームに対して強制的に動かされ得るよう、プレスフレームに概して結合されている。反応容器は、概して、対向するアンビルの間で、プレスフレームによって画定された体積部の中に配置されている。移動の長手方向軸の周りで横方向および回転方向に各アンビルを整列させることができるということは一般に重要である。
【０００４】
ダイヤモンドを焼結するのに適した、商業的に利用可能な所定の立方体プレスシステムは、油圧的に作動可能な６つの負荷アッセンブリを備えている。各アンビルは、アンビル保持具上に突き当たる複数のボルトによって所定の位置で横方向において保持されていてもよく、アンビルは、ボルトを緩め、そしてボルスターブロックに対してアンビル保持具を手動で動かすことにより、整列されてもよい。アンビル保持具は、移され、および／または回転させられてもよく、アンビルを１つの方向において整列させることは、アンビルをその他の方向においても動かすことまたは回転させることを同時に行わない場合には困難である。言い換えると、現実的に、様々なアライメント軸を分離することは、困難であり得る。
【０００５】
米国特許第７４８１６３９号は、高圧高温でのプレスにおけるフレームへの連結のためのカートリッジアッセンブリを開示している。カートリッジアッセンブリは、アンビルおよびピストンと同軸のバックアップ中間部をさらに備える前端部を備えている。アンビルは、バックアップに接触している近位端部を備えていてもよく、遠位端部は、プレス部のフレームの内部に加圧されたチャンバーの一部を形成するように適合されていてもよい。前端部は、キーリングによって取り囲まれ得るセンタリングアッセンブリを備えていてもよく、キーリングは、センタリングアッセンブリを中央に置くよう適合され得る複数のロッキングピンを受け入れるための複数のレセプタクルを備えていてもよい。その他の形態において、ロッキングピンはまた、アンビルを中央に置くよう適合されていてもよい。その他の形態において、加圧されたチャンバーの内部でアンビルが概して整列されることを確実にするという能力が、複数のアンビルの間における適切な封止を提供することを補助し、かつ、肩部負荷および／または応力破損の可能性を概して低減してもよい。
【発明の開示】
【０００６】
第１の側面からは、調整アッセンブリであって、移動可能にベースに連結されたプラットフォームと、プラットフォームの横方向位置をベースに対して調整する偏向部材を含む調整機構と、を備え、調整アッセンブリは、プラットフォームが、第２軸に沿った方向で動くよう推進される偏向部材に応じて第１軸に沿った方向で横方向に動くように推進されることができるよう構成されており、第２軸は、第１軸に概して平行ではない、調整アッセンブリが提供される。
【０００７】
本開示によれば、様々な構成および組合せが考えられる。以下の例は、非排他的な、非限定的な例である。例えば、第１の軸および第２の軸は、互いにほぼ直交していてもよい。調整機構は、プラットフォームが第１の軸および／または第２の方向に沿ってベースに対して横方向に動くときにプラットフォームとベースとの間の長手方向距離が概して変化しないように構成されていてもよい。第１の軸および第２の軸は、プラットフォームとベースとの間の滑り境界部に概して平行になっていてもよい。滑り境界部は、プラットフォームの滑り面とベースの支持面との間によって画定されていてもよく、または、プラットフォームの滑り面とベースの支持面との間に配置されていてもよい。プラットフォームの滑り面およびベースの支持面は、概して平坦であってもよく、または、概して平坦な領域をそれぞれ含んでいてもよい。調整アッセンブリは、滑り境界部に概して平行な同一面上で第１の軸および第２の軸に沿ってプラットフォームを動かすことが可能なように構成されていてもよい。
【０００８】
偏向部材の少なくとも一部は、概して、先細状になっていてもよく、またはくさび形になっていてもよい。偏向部材は、プラットフォームおよび／またはベースに隣接していてもよい。偏向部材の移動は、ガイド手段によって抑制される。ガイド手段は、ベースおよび／またはプラットフォームに連結されたガイド部材を備えていてもよい。偏向部材は、ベースと、プラットフォームに連結されたガイド部材と、の間に配置されていてもよく、および／または、プラットフォームと、ベースに連結されたガイド部材と、の間に配置されていてもよい。偏向部材は、調整手段に連結されていてもよい。調整手段は、調整手段の作動に応じて、第２の軸に沿った方向において偏向部材を動かすように推進するためのものである。調整手段は、ネジやボルトなどの、ネジ山が切られた部材を備えていてもよく、それらは、手動で、または電気的に、または機械的に作動され得る。
【０００９】
調整アッセンブリは、互いに対向するよう配置され、かつ、ベースに対するプラットフォームの位置の調整において協働するよう構成された一対の偏向部材を備えていてもよい。例えば、第２の軸に沿った同一の方向においてほぼ同時に動く一対の偏向部材の作動が、第１の軸に沿った方向においてプラットフォームが動くように推進するという作動になるように、一対の偏向部材が協働的に構成されていてもよい。例示的な構成において、一対の偏向部材はそれぞれ、先細状の部分を備えていてもよい。一対の偏向部材は、プラットフォームが一対の偏向部材の一方の移動に応じて動くときに概して同時に他方の偏向部材の移動によってプラットフォームが動くことができる空間が形成されるように、プラットフォームおよびベースとの関係で反対側の向きを有する先細状の部分を有するよう、構成されていてもよい。いくつかの例において、偏向部材は、先細状のジブ（gib）を備えている。第２の軸に沿った偏向部材の移動または複数の偏向部材の移動に応じた、第１軸に沿ったプラットフォームの移動は、ガイド手段によって制限されてもよい。
【００１０】
いくつかの例示的な構成において、偏向部材は、支持面、滑り境界部および／または長手方向軸に対して、所定の角度で傾斜していてもよい。例えば、当該角度は、約４５〜６５°の範囲内であってもよく、または、より具体的には、約６０°であってもよい。そのような構成は、調整機構をより強固にし、かつ、突然の、重大な衝撃に対する耐性のあるものにする、という側面を有していてもよい。突然の、重大な衝撃は、負荷アッセンブリによって加圧されている反応体積部の内部における突然の圧力損失の際などに生じ得る。
【００１１】
調整機構は、第２の軸に沿った方向においてベースに対してプラットフォームを動かすための横方向調整手段を備えていてもよい。横方向調整手段は、アクチュエータ手段を備えていてもよい。例えば、アクチュエータ手段は、ネジまたはボルトなどの、ネジ山が切られた部材を備えていてもよい。いくつかの例示的な構成において、偏向部材および横方向調整手段は、プラットフォームが第２の軸に沿って動くことが横方向調整手段の作動に応じて偏向部材によって制限され得るよう、構成されていてもよい。
【００１２】
例えば、プラットフォームは、第１の軸に沿った方向において、偏向部材または複数の偏向部材によって動かされ得るようになっていてもよく、また、第２の軸に沿った方向において、横方向調整手段によって動かされ得るようになっていてもよい。調整アッセンブリは、ベースに対するプラットフォームの横方向位置が、対向する一対の偏向部材および対向する一対の横方向調整部材の協調的な動作によって、２つの直交する軸ＸおよびＹの各々に沿った方向において調整され得るよう、構成されていてもよい。
【００１３】
調整アッセンブリは、移動可能にプラットフォームに連結された上部構造部を備えていてもよい。例えば、上部構造部は、プラットフォームに対する上部構造部の回転方向における位置を調整して固定するための回転連結手段によってプラットフォームに対して回転可能に連結されていてもよい。いくつかの例において、上部構造部は、反応カプセルを所定の力で加圧するアンビルアッセンブリを備えていてもよい。
【００１４】
いくつかの構成において、ベースは、第１および第２の横方向の軸にほぼ直交する長手方向においてベースを（および引き続いてプラットフォームを、そしていくつかの例では上部構造部を）動かすよう推進するための、油圧的に作動する機構などの推進手段に連結されていてもよい。
【００１５】
整列機構の動作は、手動であってもよく、または、例えばボールネジによるものなどの、機械的なものであってもよい。
【００１６】
開示されている調整機構は、第１の軸および第２の軸に沿った方向における、ベースに対するプラットフォームの移動が、独立的に影響されて制御され得る、という側面を有していてもよい。両方の軸に沿った移動は、同一平面または同一面において可能である。いくつかの例示的な構成において、プラットフォームに連結された上部構造部の、回転方向における調整は、横方向における並進移動とは独立に、影響され制御され得る。
【００１７】
第２の側面から見ると、超高圧を生成するプレスシステムのための負荷アッセンブリであって、本開示による調整アッセンブリを備える負荷アッセンブリが提供される。負荷アッセンブリは、移動可能にベースに連結されたアンビルアッセンブリを備えていてもよい。アンビルアッセンブリは、アンビル保持具に取り付けられたアンビルを備えていてもよい。アンビルアッセンブリは、ダイヤモンドの合成および／または焼結のための超高圧を生成するための立方体プレスのためのものであってもよい。負荷アッセンブリは、ラム（ram）と、本開示による調整アッセンブリの手段によって移動可能にラムに連結されたアンビルと、を含む、油圧式のシリンダーを備えていてもよい。
【００１８】
第３の側面から見ると、超高圧を生成するためのプレスシステムが提供される。プレスシステムは、本開示による負荷アッセンブリを少なくとも２つ備えている。負荷アッセンブリは、プレスフレームに取り付けられており、かつ、反応体積部に加えられる負荷を協働的に生成することができるよう構成されている。
【００１９】
第４の側面から見ると、負荷アッセンブリをプレスシステムに適合させる方法であって、負荷アッセンブリは、アンビルアッセンブリと、油圧システムと、ボルスターブロックと、を備え、ボルスターブロックは、使用中に組み立てられる際、アンビルアッセンブリと油圧システムとの間に配置されており、上記方法は、油圧システムを一端側に連結し、アンビルアッセンブリを他端側に連結するよう構成された調整機構を準備する工程と、ボルスターブロックと調整機構とを取り替える工程と、を備える、方法が提供される。調整機構は、ボルスターブロックにおける使用に適した材料、例えば硬化工具鋼および／または強化工具鋼を備えていてもよい。
【図面の簡単な説明】
【００２０】
例示的な構成が、図を参照して以下に説明される。
【図１Ａ】図１Ａは、例示的なプラットフォームを例示的なベースに移動可能に連結するよう構成された例示的な調整アッセンブリを示す長手方向断面図。
【図１Ｂ】図１Ｂは、図１Ａに示される例示的な調整アッセンブリを観点Ａから見た場合を示す底面図。
【発明を実施するための形態】
【００２１】
図１Ａおよび図１Ｂを参照すると、プレスシステムのための例示的な調整アッセンブリは、ベース１２０に連結されたプラットフォーム１１０と、一対の先細状ジブの偏向部材１３２，１３４と、を備えている。調整アッセンブリは、第２方向Ｙ１またはＹ２において同時に推進されている先細状ジブ１３２，１３４に応じて、先細状ジブ１３２，１３４がプラットフォーム１１０を第１方向Ｘ１またはＸ２においてベース１２０に対して横方向に動くように推進する（urge）ことができるよう、構成されている。この例示的な構成において、第２方向Ｙ１およびＹ２は、第１方向Ｘ１およびＸ２に対してほぼ直交している。プラットフォーム１１０は、ベース１２０の支持面に隣接するとともに支持面に対して摺動することができる隣接面を備えている。隣接面および支持面はいずれもほぼ平坦になっている。先細状ジブ１３２，１３４は、ベース１２０の各部分１２２，１２４と、プラットフォームの各部分１１２，１１４との間に配置されており、偏向部材が約６０°という所定の角度で長手方向軸Ｌに対して傾斜するよう構成されている。先細状ジブ１３２，１３４は、プラットフォーム１１０の位置をベース１２０に対して調整するよう協働可能に構成されている。図１Ｂを参照すると、例示的な調整アッセンブリは、偏向部材１３２，１３４にほぼ直交するよう配置され、かつプラットフォームを横方向Ｙ１およびＹ２に動かすことができる一対の横方向調整部材１６３，１６５をさらに備えている。この特定の構成において、横方向調整部材１６３，１６５は、各ハウジング１６２，１６４によって保持された、ネジ山が切られたボルトである。ハウジング１６２，１６４には、ボルト１６３，１６５のための、ネジ山が切られた貫通孔が設けられている。ハウジング１６２，１６４は、ベース１２０に取り付けられている。
【００２２】
図１Ａに示される例示的なアッセンブリは、アンビル保持具１４０に取り付けられたアンビル１５０をさらに備えており、アンビル保持具は、回転可能にプラットフォーム１１０に連結されている。アンビル保持具１４０は、環状のスカート部１４２を備えており、またプラットフォーム１１０は、概して円筒状の外部側面を有する突起部１１６を備えている。スカート部１４２および突起部１１６は、スカート部１４２が突起部１１６に隣接し、かつスカート部１４２が突起部１１６の周りで摺動可能に回転するよう、協働的に構成されている。アンビル保持具１４０は、アンビル保持具１４０を所定の位置に締結する手段としての、またはアンビル保持具１４０が自由に回転できるようにアンビル保持具１４０を解放する手段としてのスクリュー機構１６０を有している。回転方向の調整機構は、横方向での調整から独立しており、従って、アンビルが回転方向および横方向において独立に配列されることが可能になる。
【００２３】
使用中、ベースに対するプラットフォーム１１０の横方向位置は、偏向部材１３２，１３４および／または横方向調整部材１６３，１６５の協調的な動作により、方向Ｘ１またはＸ２および方向Ｙ１またはＹ２において調整され得る。プラットフォームの位置は、第１の軸Ｘ１−Ｘ２および第２の軸Ｙ１−Ｙ２の両方に沿って、同時にまたは順次、調整され得る。方向Ｘ１においてプラットフォーム１１０を動かすため、偏向部材１３２，１３４は、方向Ｙ１において同時に動かされる。方向Ｘ２においてプラットフォーム１１０を動かすため、偏向部材１３２，１３４は、方向Ｙ２において同時に動かされる。方向Ｙ１においてプラットフォームを動かすため、横方向調整部材１６３，１６５は、同一の方向Ｙ１において同時に動かされる。方向Ｙ２においてプラットフォームを動かすため、横方向調整部材１６３，１６５は、同一の方向Ｙ２において同時に動かされる。偏向部材１３２，１３４は、調整ボルト１３３，１３５の作動により、動かされ得る。プラットフォーム１１０は、調整／固定ボルト１３３，１３５のセットを締結することによって、所定位置に固定され得る。
【００２４】
調整機構は、Ｘ−Ｙ位置決めテーブル装置を備えていてもよく、ここで隣接面は、ボールベアリングスライドまたはローラースライドに取り付けられていてもよい。ボールベアリングスライドまたはローラースライドは、複数の線形のベースを有していてもよく、また、フォーサ（forcer）またはプラテン（platen）を備えていてもよい。フォーサは、ほとんど摩擦の無いエアベアリング上で、プラテンの上を滑るように動くことができ、また、ほぼ線形の動作でプラテンを横切って連続的に動くことができる。２軸以上を提供するため、線形なベースが、互いに頂部上に重ねられていてもよく、頂部の“Ｙ”軸は、ボトムベースに対するキャリッジおよびテーブルを保持するベースとして作用する。調整ジブが、両方の軸に取り付けられていてもよい。
【図１Ａ】
2015500145.tif 000003
【図１Ｂ】
2015500145.tif 000004
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
超高圧を生成するのに適したプレス装置であって、
プレスフレームに取り付けられた少なくとも２つの負荷アッセンブリを備え、
負荷アッセンブリは、反応体積部に加えられる負荷を協働的に生成することができるよう構成されており、
負荷アッセンブリは各々、調整アッセンブリを備え、
調整アッセンブリは、
油圧シリンダーのラムを備えるベースに移動可能に連結されたプラットフォームと、
プラットフォームの位置を横方向でベースに対して調整する一対の偏向部材を含む調整機構と、を備え、
ベースは、一対のベース接触面を備え、
プラットフォームは、一対のプラットフォーム接触面を備え、
一対のプラットフォーム接触面の各々は、各偏向部材に隣接しており、
各偏向部材は、プラットフォーム接触面とベース接触面との間に収容されており、
アンビル部材が、各プラットフォームに連結されており、
前記調整アッセンブリは、プラットフォームが、第２軸に沿った方向で動くよう推進される偏向部材に応じて第１軸に沿った方向で横方向に動くように推進されることができるよう構成されており、
第２軸は、第１軸に平行ではなく、
プラットフォーム接触面およびベース接触面は、偏向部材が、第１の軸および第２の軸によって画定される横方向面に対して傾斜するよう、構成されている、プレス装置。
【請求項２】
偏向部材は、少なくとも５０°かつ最大で６５°の角度で、横方向面に対して傾斜している、請求項１に記載のプレス装置。
【請求項３】
アンビル部材は、プラットフォームに対する、回転方向におけるアンビル部材の移動を可能にするよう構成された調整アッセンブリによって、プラットフォームに対して移動可能に連結されている、請求項１または２に記載のプレス装置。
【請求項４】
第１軸と第２軸とが直交している、請求項１乃至３のいずれか一項に記載のプレス装置。
【請求項５】
偏向部材の各々は、先細状のくさび形部分を備え、
プラットフォームおよびベースは、それらの間に各くさび形部分を収容するよう協働的に構成されており、これによって、第２軸に沿った方向における、一方の偏向部材の移動が、プラットフォームが第１軸に沿ってベースに対して移動するように推進し、かつ、第２軸に沿った同一方向における、他方の偏向部材の同時の移動が、当該方向におけるベースの移動を可能にする、請求項１乃至４のいずれか一項に記載のプレス装置。
【請求項６】
一対の横方向調整部材を備え、
一対の横方向調整部材は、第２軸に沿って動かされる横方向調整部材に応じて、第２軸に沿ってベースに対してプラットフォームを移動させることができるよう構成さている、請求項１乃至５のいずれか一項に記載のプレス装置。
【請求項７】
横方向調整部材は、偏向部材の移動に応じて第１軸に沿ってプラットフォームが動かされるときに、プラットフォームのためのガイド機構として機能するよう構成されている、請求項６に記載のプレス装置。
【請求項８】
偏向部材は、横方向調整部材の移動に応じて第２軸に沿ってプラットフォームが動かされるときに、プラットフォームのためのガイド機構として機能するよう構成されている、請求項６または７に記載のプレス装置。
【請求項９】
プラットフォームは、対向する接触面からなる第１の対を備え、
第１の対の接触面の各々は、各偏向部材に隣接しており、
プラットフォームは、対向する接触面からなる第２の対を備え、
第２の対の接触面の各々は、各横方向調整部材に隣接しており、
接触面の第１の対および接触面の第２の対は、互いに直交している、請求項６乃至８のいずれか一項に記載のプレス装置。
【国際調査報告】
2015500145.tif 000005
2015500145.tif 000006
2015500145.tif 000007